(57)【特許請求の範囲】
【請求項１】
給水弁と、洗浄タンク内の洗浄水の水位に連動して昇降するフロートと、該フロートと該給水弁とを連繋する、軸部を備えた連繋アームとを有し、該フロートの昇降により該給水弁を開閉させ、前記タンクへの給水を自動的に行うボールタップにおける前記フロートの高さ調節機構であって、
前記連繋アームの前記軸部に組み付けられ、前記フロートに対し独立して回転することにより該軸部に沿って位置移動する回転操作部材を、前記フロートとともに該軸部に沿って一体に移動する状態に該フロートに保持させたことを特徴とするボールタップにおけるフロートの高さ調節機構。
【請求項２】
請求項１において、前記回転操作部材は前記軸部と螺合させてあり、回転によりねじ送りで該軸部に沿って位置を移動するものとなしてあることを特徴とするボールタップにおけるフロートの高さ調節機構。
【請求項３】
請求項１，２の何れかにおいて、前記フロートと前記軸部との間には、該フロートの回転を阻止しつつ該軸部に沿って移動案内する回止め機構が設けてあることを特徴とするボールタップにおけるフロートの高さ調節機構。
【請求項４】
請求項３において、前記回止め機構は、前記軸部の外面に且つ該軸部に沿って設けられた溝又は突条と、前記フロートに設けられた、該溝に係入する凸部又は該突条を係入させる凹部とを有していることを特徴とするボールタップにおけるフロートの高さ調節機構。
【請求項５】
請求項１〜４の何れかにおいて、前記回転操作部材と前記フロートとの間には、係止部と被係止部とを有し、それら係止部と被係止部とを弾性係止させて該回転操作部材を回転方向に弾性的に位置保持する係止機構が設けてあることを特徴とするボールタップにおけるフロートの高さ調節機構。
【請求項６】
請求項５において、前記係止機構は、前記回転操作部材と前記フロートとの一方に設けられた前記被係止部としての凹部と、他方に設けられ、該凹部に入り込む前記係止部としての爪とを有していることを特徴とするボールタップにおけるフロートの高さ調節機構。
【請求項７】
請求項５，６の何れかにおいて、前記回転操作部材に設けられた前記被係止部又は係止部は、該回転操作部材の円周上に環状に配置してあることを特徴とするボールタップにおけるフロートの高さ調節機構。
【発明の詳細な説明】
【技術分野】
【０００１】
この発明は、便器洗浄のための洗浄水を内部に貯える洗浄タンクに対して給水を自動的に行うボールタップにおけるフロートの高さ調節機構に関する。
【背景技術】
【０００２】
従来、便器洗浄用の装置として、給水弁と、洗浄タンク（以下単にタンクとすることがある）内の洗浄水の水位に連動して昇降するフロートと、フロートと給水弁とを連繋する、軸部を備えた連繋アームとを有し、フロートの昇降により給水弁を開閉させてタンクへの給水を自動的に行うボールタップが広く用いられている。
例えば下記特許文献１に、この種のボールタップが開示されている。
【０００３】
図９はその具体例を示している。
同図において２００は洗浄タンクで、２０２はタンク２００内部に配設されたボールタップであり、フロート２０４の昇降に連動して給水及び給水停止を行う。
即ち、フロート２０４が下降するとボールタップ２０２の給水弁を開いて、給水口２０６を通じタンク２００内部に給水を行う。
また一方、タンク２００内部の水面の上昇につれてフロート２０４が上昇し、そしてその水面が満水状態になると、ボールタップ２０２の給水弁が閉じて給水を停止する。
【０００４】
タンク２００の底部には排水弁２０８が設けられている。そしてこの排水弁２０８に対して、タンク２００の壁部に設けられた洗浄ハンドル２１０と一体に回転するＬ字状のレバーアーム２１２の先端部が、鎖２１４を介して連結されている。
而してこの排水弁２０８は、洗浄ハンドル２１０が回転操作されることで浮き上って開弁し、ここにおいてタンク２００内の洗浄水が排出口２１８を通じて便器に向け放出される。
【０００５】
図９に示すボールタップ２０２の上記の給水弁は、フロート２０４の昇降運動が連繋アーム２１５を介し給水弁側に伝えられることで開閉動作する。
ここで連繋アーム２１５は、上下に延びるねじ軸部２１６を有しており、そこにフロート２０４が螺合され、組み付けられている。
【０００６】
フロート２０４は、これを回転操作することでねじ軸部２１６に対する螺合位置が上下に調節される。即ちフロート２０４の高さが上下に位置調節される。
そしてフロート２０４の上下の位置の調節により、タンク２００内の満水時における洗浄水量が調節される。
【０００７】
詳しくは、フロート２０４の位置を下側に移動させると、タンク２００内への給水の際にボールタップ２０２の給水弁が早く閉じるようになり、タンク２００内への給水量が少なく調節される。即ちタンク２００内部の洗浄水の満水時の水位が低く調節される。
【０００８】
逆にフロート２０４の位置を上側に移動させると、タンク２００内への給水の際にボールタップ２０２の給水弁が遅く閉じるようになり、タンク２００内により多くの水が給水される。即ち満水時の洗浄水の水位が高く調節される。
【０００９】
しかしながら図９に示すボールタップ２０２のように、フロート２０４を回転操作することによって、その高さを調節するものにあっては、フロート２０４の周りにその回転のための広いスペースが必要となる。
【００１０】
近年、タンクは益々小型化する傾向にあり、そうした中でフロート２０４を回転させたときに周辺部品との干渉の問題を生じ、周辺部品の配置のレイアウトを大きく制約してしまう。
そしてこのことがタンクの一層の小型化を阻む要因となってしまう。
【００１１】
またねじによってフロート２０４の高さを調節するものにあっては、長期間使用するうちにねじ軸部２１６に対するフロート２０４の螺合位置にずれが生じる問題があり、この場合フロート２０４の高さが本来の位置から変化してしまうことによって、満水時の洗浄水の水位が設定した位置から変わってしまう問題を生ずる。
【００１２】
尚、本発明に関連する先行技術として、下記特許文献２にはパイロット式の貯水槽用のボールタップについての発明が示され、そこにおいてリング状の位置決部材をねじ軸部に螺合し、位置決部材をそのねじ軸部に沿って上下に位置移動可能となした点が開示されている。
但しこの位置決部材は、浮子（フロート）の上昇端を規定するストッパとしてのもので、浮子と一体に上下動するものではなく、本発明とは異なっている。
【先行技術文献】
【特許文献】
【００１３】
【特許文献１】特開２００２−１６７８３８号公報
【特許文献２】特許第２８０１９７８号公報
【発明の概要】
【発明が解決しようとする課題】
【００１４】
本発明は以上のような事情を背景とし、フロートの周りにこれを回転させるためのスペースを必要とせず、フロートの回転によって周辺部品との干渉の問題を生じることのない、ボールタップにおけるフロートの高さ調節機構を提供することを目的としてなされたものである。
【課題を解決するための手段】
【００１５】
而して請求項１のものは、給水弁と、洗浄タンク内の洗浄水の水位に連動して昇降するフロートと、該フロートと該給水弁とを連繋する、軸部を備えた連繋アームとを有し、該フロートの昇降により該給水弁を開閉させ、前記タンクへの給水を自動的に行うボールタップにおける前記フロートの高さ調節機構であって、前記連繋アームの前記軸部に組み付けられ、前記フロートに対し独立して回転することにより該軸部に沿って位置移動する回転操作部材を、前記フロートとともに該軸部に沿って一体に移動する状態に該フロートに保持させたことを特徴とする。
【００１６】
請求項２のものは、請求項１において、前記回転操作部材は前記軸部と螺合させてあり、回転によりねじ送りで該軸部に沿って位置を移動するものとなしてあることを特徴とする。
【００１７】
請求項３のものは、請求項１，２の何れかにおいて、前記フロートと前記軸部との間には、該フロートの回転を阻止しつつ該軸部に沿って移動案内する回止め機構が設けてあることを特徴とする。
【００１８】
請求項４のものは、請求項３において、前記回止め機構は、前記軸部の外面に且つ該軸部に沿って設けられた溝又は突条と、前記フロートに設けられた、該溝に係入する凸部又は該突条を係入させる凹部とを有していることを特徴とする。
【００１９】
請求項５のものは、請求項１〜４の何れかにおいて、前記回転操作部材と前記フロートとの間には、係止部と被係止部とを有し、それら係止部と被係止部とを弾性係止させて該回転操作部材を回転方向に弾性的に位置保持する係止機構が設けてあることを特徴とする。
【００２０】
請求項６のものは、請求項５において、前記係止機構は、前記回転操作部材と前記フロートとの一方に設けられた前記被係止部としての凹部と、他方に設けられ、該凹部に入り込む前記係止部としての爪とを有していることを特徴とする。
【００２１】
請求項７のものは、請求項５，６の何れかにおいて、前記回転操作部材に設けられた前記被係止部又は係止部は、該回転操作部材の円周上に環状に配置してあることを特徴とする。
【発明の作用・効果】
【００２２】
以上のように本発明は、連繋アームの軸部に組み付けられ、回転によって軸部に沿って位置移動する回転操作部材を、フロートとともに軸部に沿って一体に移動する状態にフロートに保持させ、以てフロートの高さ調節機構を構成したものである。
【００２３】
本発明では、回転操作部材を回転操作すると、回転操作部材がフロートを伴って軸部に沿って位置移動し、フロートの高さが調節される。
従って、本発明ではフロートの高さを調節するためにフロートを回転させる必要はなく、フロートの周りにその回転のためのスペースを確保しておく必要はない。
それ故本発明によれば、フロートの周辺部品の配置のレイアウトの自由度が高まり、また洗浄タンクの一層の小型化を図ることが可能となる。
またフロートの高さ調節のためにフロートを回転させる必要がないので、フロート自体の形状の自由度も高まる利点が得られる。
【００２４】
本発明では、回転操作部材の回転によって、これを連繋アームの軸部に沿って連続的に位置を移動させること、つまりフロートの高さ位置を軸部に沿って無段階に連続的に調節することが可能である。
【００２５】
そのための手段として、例えば回転操作部材と軸部とをカム機構を介して組み付けておき、回転操作部材の回転運動をカム機構により回転操作部材の軸部に沿った直線運動に運動変換するようになすこと、或いはその他の手段によってこれをなすことが可能であるが、請求項２に従って、回転操作部材を軸部と螺合させておき、回転によりねじ送りで回転操作部材を軸部に沿って位置を移動させるようになしておくことが望ましい。
このようにすることで、タンク内の洗浄水の水位を容易に微妙且つ無段階で連続的に調節することができる。
【００２６】
本発明では、作業者がフロートを片方の手で持って、もう片方の手で回転操作部材を回転操作することにより、フロートの高さ位置を調節するといったことも可能であるが、請求項３に従ってフロートと軸部との間に、フロートの回転を阻止しつつフロートを軸部に沿って移動案内する回止め機構を設けておくことが望ましい（請求項３）。
このようにすれば、片手操作で回転操作部材を回転操作するだけで、容易にフロートの高さ位置を調節することができる。
【００２７】
この場合において、その回止め機構は、軸部の外面に且つ軸部に沿って設けられた溝又は突条と、フロートに設けられた、軸部の溝に係入する凸部又は突条を係入させる凹部とを有するものとなしておくことができる（請求項４）。
【００２８】
本発明ではまた、回転操作部材とフロートとの間に、係止部と被係止部とを有し、それら係止部と被係止部とを弾性係止させて回転操作部材を回転方向に弾性的に位置保持する係止機構を設けておくことができる（請求項５）。
【００２９】
このようにしておけば、回転操作部材の自由な回転が禁止され、回転操作部材に対して回転操作力を加えることで、初めて回転操作部材を係止機構による弾性係止作用に打ち勝って回転運動させることができる。
【００３０】
従ってこの請求項５によれば、長期使用する間に回転操作部材が意図せず回転してしまい、そのことによってフロートの高さ位置が本来の目的の位置からずれてしまうこと、即ちタンク内の洗浄水の満水時の水位が設定した水位から変ってしまうのを防止することができる。
【００３１】
この場合においてその係止機構は、回転操作部材とフロートとの一方に設けられた被係止部としての凹部と、他方に設けられ、その凹部に入り込む係止部としての爪とを有するものとなしておくことができる（請求項６）。
【００３２】
これら請求項５，請求項６において、回転操作部材に設けられた上記の被係止部又は係止部は、回転操作部材の円周上に環状に配置しておくことができる（請求項７）。
【図面の簡単な説明】
【００３３】
【図１】本発明の一実施形態のボールタップにおけるフロートの高さ調節機構を洗浄タンクの内部構造とともに示した図である。
【図２】同実施形態の高さ調節機構をボールタップとともに示した図である。
【図３】同実施形態の高さ調節機構を図２とは異なる方向から示した図である。
【図４】同実施形態の高さ調節機構の要部を示した図である。
【図５】同実施形態における高さ調節ダイヤルとねじ軸部とを分離した状態で示した図である。
【図６】同実施形態におけるフロートを示した図である。
【図７】図１〜図６に示すフロートの利点の説明図である。
【図８】比較例のフロートの動作説明図である。
【図９】従来の高さ調節機構を洗浄タンクの内部構造とともに示した図である。
【発明を実施するための形態】
【００３４】
次に本発明の実施形態を図面に基づいて詳しく説明する。
図１において、１０は洗浄タンク（以下単にタンクとする場合がある）で、アウタタンク１２とインナタンク１４との２重タンク構造をなしている。
アウタタンク１２の上部には、その蓋を兼用した手洗鉢１６が設けられており、この手洗鉢１６に手洗吐水管１８が手洗鉢１６から起立する形態で設けられている。
手洗鉢１６の底部には排水口２０が設けられており、手洗吐水管１８から吐水された手洗水が、この排水口２０からタンク１０内部へと落下する。
【００３５】
２２は、タンク壁に回転可能に設けられた洗浄ハンドルで、この洗浄ハンドル２２から、Ｌ字状をなすレバーアーム２４がタンク１０の内方に向って延び出している。
そしてその先端部と図示を省略するタンク底部の排水弁とが、玉鎖２６にて連結されている。
排水弁は、洗浄ハンドル２２の回転操作により玉鎖２６にて引き上げられ開弁する。
そしてその開弁によって、タンク１０底部の排出口が開放され、タンク１０内に貯えられている洗浄水がその排出口から便器に向けて勢い良く放出される。
【００３６】
２８は、タンク１０内部に配設されたボールタップで、３０はボールタップ本体であり、このボールタップ本体３０に対して給水管３２が接続されている。
ボールタップ本体３０には、給水弁３４と、その下流部においてタンク内給水口３６とが備えられている。
【００３７】
更にこのタンク内給水口３６とは別に、手洗吐水管１８に手洗水を供給する手洗側給水口（図示省略）が備えられ、その手洗側給水口と手洗吐水管１８とが、蛇腹管から成る導水管３８にて連絡されている。
【００３８】
このボールタップ２８では、給水弁３４が開弁すると、給水管３２を通じて送られて来た水がタンク内給水口３６からタンク１０内に給水されるのと併せて、手洗側給水口から導水管３８を通じて手洗吐水管１８へと導かれ、そこから手洗鉢１６に向けて手洗水が吐水される。
【００３９】
ボールタップ２８は、タンク１０内の洗浄水による浮力によって洗浄水の水位に連動して昇降するフロート４０、及びこのフロート４０と給水弁３４とを連繋する連繋アーム４２とを有している。
連繋アーム４２は、図２及び図３に示しているように給水弁３４から下向きに延びた後、略水平方向に延びるアーム部４４と、アーム部４４の先端部から下向きに立ち下がるねじ軸部（軸部）４６とを有しており、そのねじ軸部４６に対して、フロート４０が高さ調節可能に取り付けられている。
尚、図１において４８はオーバーフロー管である。
また５０は、ボールタップ本体３０に備えられ、オーバーフロー管４８を通じて便器に補給水を供給する補給水の給水口である。
【００４０】
この実施形態において、フロート４０は図６（Ａ）に示しているように平面視形状が矩形状をなしている。
図３にも示しているように、フロート４０は周壁部４０Ａと、上壁部４０Ｂとを有する逆カップ状をなしていて、その下面が開放形状とされている。
そしてその開放形状をなす下面が、止水開始時（フロート４０の上昇開始時）において、水平方向に対し斜めに傾斜した形状、詳しくは連繋アーム４２の付根、具体的には連繋アーム４２の回動中心となる軸部５２側に図中右方向に移行するにつれて、漸次上方に移行する形状の傾斜形状とされている。
フロート４０は、その内部に円筒状の筒部５３を一体に有しており、そこに上記のねじ軸部４６が下向きに挿入されている。
【００４１】
図４において、５４はフロート４０の高さ調節を行う高さ調節ダイヤル（回転操作部材）で、フロート４０の上面に設けられた保持部５６により回転可能に保持されている。
この高さ調節ダイヤル５４は、その保持部５６による保持によって、ねじ軸部４６に沿って図中上下方向にフロート４０と一体に位置移動するようになっている。
【００４２】
高さ調節ダイヤル５４は、図５に示しているように円形の中央部５４Ａと、外周側のリング部５４Ｂと、それらを周方向の４個所で連結する連結リブ５４Ｃとを有する形態をなしている。
その本体となるリング部５４Ｂの外周面は、リング部５４Ｂを手で摘んで回転操作し易くするために、多数の凸部５８と凹部６０とを有する凹凸形状とされている。
また中央部５４Ａには、これを軸方向に貫通する雌ねじ孔６２が設けられている。
【００４３】
一方ねじ軸部４６の外周面には雄ねじ部６４が設けられており、高さ調節ダイヤル５４は雌ねじ孔６２においてねじ軸部４６に、詳しくは雄ねじ部６４に螺合され、ねじ軸部４６に組み付けられている。
尚、ねじ軸部４６の下端部は板状部６６とされ、上記雄ねじ部６４は、ねじ軸部４６の上端からこの板状部６６に到るまで設けられている。
【００４４】
上記保持部５６は、図４及び図６に示しているようにフロート４０の上面から起立する一対の板状の脚部６８，７０と、それらの上端を連結する板状の連結部７２とを有するブリッジ形状のもので、フロート４０に一体に構成されている。
図６に示しているように、このブリッジ形状をなす保持部５６の内側には保持凹所７４が形成されており、そこに上記の高さ調節ダイヤル５４が、図４中矢印Ｐ方向に挿入されて、そこに保持されている。
【００４５】
尚、図４に示しているように一方の脚部６８には、高さ調節ダイヤル５４の外周面に沿って延出する湾曲形状の当て部７６が設けられており、この当て部７６の、高さ調節ダイヤル５４に対する当接作用により、高さ調節ダイヤル５４が図４中矢印Ｐ方向からのみ保持凹所７４に挿入可能、且つ保持部５６から図中Ｐ方向に抜け防止されている。
これにより、高さ調節ダイヤル５４を保持部５６の内側の保持凹所７４に挿入して組み付ける際の組付性が良好となる。
【００４６】
保持部５６における上記の連結部７２には、その中央部に円形の嵌合部７８が設けられている。
この嵌合部７８には円形の挿通孔８０が形成されており、そこに上記のねじ軸部４６が挿通されている。即ち嵌合部７８が、ねじ軸部４６に対し外嵌状態に嵌合されている。
【００４７】
図５に示しているように、ねじ軸部４６には周方向に１８０°異なった２個所において縦に延びる溝８２が設けられている。
そしてこれに対応して挿通孔８０には、一対の凸部８４が設けられており、図４に示しているようにそれら凸部８４がねじ軸部４６の溝８２に径方向に係入されている。
【００４８】
これらの溝８２及び凸部８４は、フロート４０のねじ軸部４６に対する回止め機構をなすもので、フロート４０は、凸部８４と溝４６との回転方向の係合によってねじ軸部４６に対し回止めされる。
但し一対の凸部８４は、溝８２内をねじ軸部４６の軸方向に摺動可能であり、フロート４０は、ねじ軸部４６に沿って図中上下方向に移動する際に、これら凸部８４と溝８２とによって移動案内される。
尚、図６に示しているようにフロート４０における筒部５３の上端の開口部８６にもまた、同様の凸部８４が設けられ、この凸部８４が図３（Ｂ）に示すようにねじ軸部４６の溝８２に係入されている。
【００４９】
上記高さ調節ダイヤル５４は、保持部５６の保持凹所７４に挿入された状態でねじ軸部４６に螺合されており、この状態の下で高さ調節ダイヤル５４は、図３（Ａ）に示しているように中央部５４Ａが、保持部５６における板状の連結部７２とフロート４０本体の上壁部４０Ｂとによって上下に挟まれており、従って高さ調節ダイヤル５４を回転操作してこれをねじ送りでねじ軸部４６に沿って上下に位置を移動させると、これと一体にフロート４０がねじ軸部４６に沿って上下に位置を変化させる。
【００５０】
この実施形態では、高さ調節ダイヤル５４の自由な回転を防ぐために、高さ調節ダイヤル５４とフロート４０、詳しくはフロート４０の保持部５６とにまたがって係止機構が設けられている。
【００５１】
ここでは高さ調節ダイヤル５４におけるリング部５４Ｂの上面に、その係止機構における被係止部としての凹部８８が設けられ、また一方保持部５６における連結部７２には弾性片９０が設けられて、その先端に係止部としての爪９２が設けられ、その爪９２が凹部８８に入り込み、それら凹部８８と爪９２とが弾性係止するようになっている。
ここで凹部８８は、高さ調節ダイヤル５４の円周上に全周に亘って環状に配置されている。
【００５２】
従ってこの実施形態では、爪９２が凹部８８と８８との間の山部を弾性的に乗り越えるのに必要な回転の操作力を高さ調節ダイヤル５４に加えたときにのみ、高さ調節ダイヤル５４がねじ軸部４６周りに回転することができ、そのような操作力を加えない限り、高さ調節ダイヤル５４は爪９２と凹部８８との弾性係止に基づいてねじ軸部４６周りに回転することができない。
【００５３】
即ちボールタップ２８を長期間使用するうちに、フロート４０に加わる浮力等によって高さ調節ダイヤル５４がねじの作用で自然に回転し、高さ調節ダイヤル５４即ちフロート４０の位置が本来の位置からずれてしまうといったことは生じない。
【００５４】
本実施形態のボールタップ２８におけるフロート４０の高さ調節機構においては、高さ調節ダイヤル５４に回転操作力を加え、図４の爪９２と凹部８８との弾性係止作用に抗してこれを回転させると、ねじ軸部４６に対する高さ調節ダイヤル５４の螺合位置が上下方向に変化し、これとともにフロート４０の位置が高さ調節ダイヤル５４と一体に移動して、フロート４０の高さ位置が調節される。
これにより、タンク１０に給水を行ったときの満水時の水量、即ち水位が調節される。
【００５５】
尚本実施形態では、上記のようにフロート４０の開放形状をなす下面が水平方向に対し傾斜した形状をなしていることから、次のような利点が得られる。
図８はその利点を説明するための比較例を示したものであり、この比較例において、フロート４０Ｘはその下端が開放形状をなしている点で上記実施形態と同様であるが、ここではその下面が止水開始時において水平方向を向いている。
【００５６】
この比較例のものでは、図８（Ｉ）に示す止水開始時においてフロート４０Ｘの大きさ分だけ浮力が発生するが、水面の上昇に伴って図８（II）に示すように連繋アーム４２が傾き、これとともにフロート４０Ｘが傾いた姿勢になると、フロート４０Ｘ内の図中破線で示した部分の空気が漏れて同部分が水で埋り、フロート４０Ｘに対する浮力が減少してしまう。その結果として、止水動作が安定しないといった不具合が生ずる。
【００５７】
これに対して本実施形態のものは、図７（Ｉ）に示しているように、止水開始時においてはフロート４０に働く浮力はフロート４０の大きさ分よりも少ない浮力となるが、止水開始後に連繋アーム４２とともにフロート４０が傾き、そして最終止水状態となったときには、開放形状の下面が水平方向を向く状態となるため（下面の傾斜形状がそのように定められている）、フロート４０内部の空気が漏れるといったことがなく、止水の動作が安定する利点が得られる（止水開始時から止水時に到るまでフロート４０に加わる浮力は変化しない）。
【００５８】
以上のような本実施形態によれば、高さ調節ダイヤル５４を回転操作すると、高さ調節ダイヤル５４がフロート４０を伴ってねじ軸部４６に沿って位置移動し、フロート４０の高さが調節される。
従って本実施形態ではフロート４０の高さを調節するためにフロート４０を回転させる必要はなく、フロート４０の周りにその回転のためのスペースを確保しておく必要はない。
それ故本実施形態によれば、フロート４０の周辺部品の配置のレイアウトの自由度が高まり、また洗浄タンク１０の一層の小型化を図ることが可能となる。
またフロート４０の高さ調節のためにフロート４０を回転させる必要がないので、フロート自体の形状の自由度も高まる利点が得られる。
【００５９】
本実施形態では、高さ調節ダイヤル５４の回転によって、これを連繋アーム４２のねじ軸部４６に沿って連続的に位置を移動させること、つまりフロート４０の高さ位置をねじ軸部４６に沿って無段階に連続的に調節することができ、従ってタンク１０内の洗浄水の水位を容易に微妙且つ無段階で連続的に調節することができる。
【００６０】
また本実施形態では、フロート４０の回転を阻止しつつフロート４０をねじ軸部４６に沿って移動案内する回止め機構が設けてあるため、作業者は片手操作で高さ調節ダイヤル５４を回転操作するだけで、容易にフロート４０の高さ位置を調節することができる。
【００６１】
また本実施形態によれば、長期使用する間に高さ調節ダイヤル５４が意図せず回転してしまい、そのことによってフロート４０の高さ位置が本来の目的の位置からずれてしまうこと、即ちタンク１０内の洗浄水の満水時の水位が設定した水位から変ってしまうのを防止することができる。
【００６２】
以上本発明の実施形態を詳述したがこれはあくまで一例示である。
例えばねじ軸部４６に溝８２を設けるのに代えて突条を設け、またフロート４０の側に凸部８４を設けるのに代えてその突条を係入させる凹部を設けて回止め機構を構成するといったことも可能であるし、また高さ調節ダイヤル５４の側に凹部８８に代えて爪を設ける一方、フロート４０の側にその爪を入り込ませる凹部を設けて、それらにより高さ調節ダイヤル５４の回転方向に弾性係止する係止機構を構成するといったことも可能である。
更に上記の高さ調節ダイヤル５４以外の他の種々形態で回転操作部材を構成するといったことも可能である等、本発明はその趣旨を逸脱しない範囲において種々変更を加えた形態で構成可能である。
【符号の説明】
【００６３】
１０  洗浄タンク
２８  ボールタップ
３４  給水弁
４０  フロート
４２  連携アーム
４６  ねじ軸部（軸部）
５４  高さ調節ダイヤル（回転操作部材）
８２  溝
８４  凸部
８８  凹部
９２  爪
【図１】
0005643954.tif 000002
【図２】
0005643954.tif 000003
【図３】
0005643954.tif 000004
【図４】
0005643954.tif 000005
【図５】
0005643954.tif 000006
【図６】
0005643954.tif 000007
【図７】
0005643954.tif 000008
【図８】
0005643954.tif 000009
【図９】
0005643954.tif 000010